(57)【要約】【課題】編集のための専用の機器を用いずとも複数の動画記録装置で記録した動画を編集・再生することができる録画システム及び動画記録装置を提供すること。【解決手段】親のデジタルカメラ９１は、動画ファイルを順次記録するに際して、ファイルキー８３が操作されるたびに前の動画ファイルの記録を終了するとともに次の動画ファイルの記録を開始する。デジタルカメラ９１は次の動画ファイルの記録を開始する際に、Ｉフレームを子のデジタルカメラ９２，９３に送信する。デジタルカメラ９２，９３は、動画ファイルを順次記録するに際して、Ｉフレームを受信するたびに前の動画ファイルの記録を終了するとともに次の動画ファイルの記録を開始する。録画後、デジタルカメラ９１が、同期した動画ファイルのうち何れかを選択し、選択した動画ファイルを順次再生する。【選択図】図４
2006222550.tif 000002
【特許請求の範囲】
【請求項１】
動画撮影機能を備えた親の動画記録装置と、動画撮影機能を備えた子の動画記録装置とを備える録画システムであって、
前記親の動画記録装置が順次撮影した動画の動画ファイルを記録するとともに前記子の動画記録装置が前記親の動画記録装置に同期して順次撮影した動画の動画ファイルを記録し、
前記子の動画記録装置が記録した動画ファイルを前記親の動画記録装置に送信し、
前記親の動画記録装置は、前記子の動画記録装置から動画ファイルを受信し、自身で記録した動画ファイルとこれに同期した受信動画ファイルとの中から何れかを選択し、選択した動画ファイルを順次再生することを特徴とする録画システム。
【請求項２】
前記親の動画記録装置は、順次動画ファイルを記録するに際して、前の動画ファイルの記録を終了した後に同期信号を前記子の動画記録装置に送信し、その後次の動画ファイルの記録を開始し、
前記子の動画記録装置は、順次動画ファイルを記録するに際して、前記親の動画記録装置から同期信号を受信したら前の動画ファイルの記録を終了し、その後次の動画ファイルの記録を開始することを特徴とする請求項１に記載の録画システム。
【請求項３】
前記親の動画記録装置及び前記子の動画記録装置はＭＰＥＧ規格に従って動画ファイルを記録し、
前記親の動画記録装置が前の動画ファイルの最後のＩフレームを同期信号として前記子の動画記録装置に送信し、
前記子の動画記録装置が受信したＩフレームを前の動画ファイルの最後のフレームとして記録することを特徴とする請求項２に記載の録画システム。
【請求項４】
前記子の動画記録装置を複数備えることを特徴とする請求項１から３の何れか一項に記載の録画システム。
【請求項５】
複数の動画記録装置の中で親として用いられる動画記録装置であって、
順次動画ファイルを記録する手段と、
前記複数の動画記録装置の中で子として用いられる動画記録装置が親に同期して順次記録した後に送信した動画ファイルを受信する手段と、
自身で記録した動画ファイルとこれに同期した受信動画ファイルとの中から何れかを選択する手段と、
選択した動画ファイルを順次再生する手段と、を備えることを特徴とする動画記録装置。
【発明の詳細な説明】
【技術分野】
【０００１】
本発明は、複数の動画記録装置を備える録画システムに関するとともに、その録画システムにおいて親となる動画記録装置に関する。
【背景技術】
【０００２】
近年、デジタルビデオカメラが普及し、複数のデジタルビデオカメラを用いて多視点からビデオ撮影を行うことが行われている。例えば特許文献１には、複数のビデオカメラの中から親機と子機を設定し、親機から子機に同期信号を送信することによって、親機と子機の間の同期をとるシステムについて記載されている。
また、特許文献２には、複数のビデオカメラとは別に同期信号発生器を設置し、同期信号発生器から各ビデオカメラに同期信号を送信することによって、これらビデオカメラの間の同期をとるシステムについて記載されている。
【特許文献１】特開２００２−３２５２１６号公報
【特許文献２】特開２００４−３２０１２号公報
【発明の開示】
【発明が解決しようとする課題】
【０００３】
ところが、何れのシステムにおいても、動画記録後にそれぞれのビデオカメラで記録された動画を編集してつなぎ合わせなければならないので、その編集に手間がかかったり、編集のための専用の機器を必要としたりする。
【０００４】
そこで、本発明は、上記課題を解決しようとしてなされたものであり、編集のための専用の機器を用いずとも複数の動画記録装置で記録した動画を編集・再生することができる録画システム及び動画記録装置を提供することを目的とする。
【課題を解決するための手段】
【０００５】
以上の課題を解決するために、本発明の請求項１の録画システムは、動画撮影機能を備えた親の動画記録装置と、動画撮影機能を備えた子の動画記録装置とを備える録画システムであって、前記親の動画記録装置が順次動画ファイルを記録するとともに前記子の動画記録装置が前記親の動画記録装置に同期して順次動画ファイルを記録し、前記子の動画記録装置が記録した動画ファイルを前記親の動画記録装置に送信し、前記親の動画記録装置は、前記子の動画記録装置から動画ファイルを受信し、自身で記録した動画ファイルとこれに同期した受信動画ファイルとの中から何れかを選択し、選択した動画ファイルを順次再生することを特徴とする。
【０００６】
請求項２の録画システムは、請求項１において、前記親の動画記録装置は、順次動画ファイルを記録するに際して、前の動画ファイルの記録を終了した後に同期信号を前記子の動画記録装置に送信し、その後次の動画ファイルの記録を開始し、前記子の動画記録装置は、順次動画ファイルを記録するに際して、前記親の動画記録装置から同期信号を受信したら前の動画ファイルの記録を終了し、その後次の動画ファイルの記録を開始することを特徴とする。
【０００７】
請求項３の録画システムは、請求項２において、前記親の動画記録装置及び前記子の動画記録装置はＭＰＥＧ規格に従って動画ファイルを記録し、前記親の動画記録装置が前の動画ファイルの最後のＩフレームを同期信号として前記子の動画記録装置に送信し、前記子の動画記録装置が受信したＩフレームを前の動画ファイルの最後のフレームとして記録することを特徴とする。
【０００８】
請求項４の録画システムは、請求項１から３の何れかにおいて、前記子の動画記録装置を複数備えることを特徴とする。
【０００９】
請求項５の動画記録装置は、複数の動画記録装置の中で親として用いられる動画記録装置であって、順次動画ファイルを記録する手段と、前記複数の動画記録装置の中で子として用いられる動画記録装置が親に同期して順次記録した後に送信した動画ファイルを受信する手段と、自身で記録した動画ファイルとこれに同期した受信動画ファイルとの中から何れかを選択する手段と、選択した動画ファイルを順次再生する手段と、を備えることを特徴とする。
【発明の効果】
【００１０】
本発明によれば、親の動画記録装置が、自身で記録した動画ファイルとこれに同期した受信動画ファイルとの中から何れかを選択し、選択した動画ファイルを順次再生するので、再生される動画が時間順序に編集されたものとなる。そのため、編集の手間が省かれ、編集のための専用の機器も必要なくなる。
【発明を実施するための最良の形態】
【００１１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１２】
図１は、本発明を適用した録画システムの構成図である。図１に示すように、この録画システムは、被写体１００を撮影する複数のデジタルカメラ９１，９２，９３から構成されている。これらのうちデジタルカメラ９１が親機として動作し、デジタルカメラ９２，９３が子機として動作する。なお、本実施形態においては子機が２台であるものとして説明するが、１台であっても良いし、３台以上であっても良い。
【００１３】
図２は、デジタルカメラ９１のブロック図である。図２において、制御部１は、ＣＰＵ、ＲＯＭ等から構成され、デジタルカメラ全体の動作を制御するためのプログラムを内部に備え、更に後述する動作を行うためのプログラムを備えている。この制御部１には、バスライン２を介して記憶部３、ＲＡＭ（ランダム・アクセス・メモリ）４、通信制御部５、表示部６、撮像部７、入力部８及び記憶媒体駆動部１０が接続されている。
【００１４】
記憶部３は、デジタルカメラ９１の内部に固定的に設けられ、通常状態では取り出すことができない内部メモリである。記憶部３は、読み書き可能な不揮発性のメモリ、例えばフラッシュメモリから構成されている。この記憶部３には、撮像部７で撮影された動画データがモーションＪＰＥＧ又はＭＰＥＧ圧縮されたファイル形式で記録される。なお、このデジタルカメラ９１は静止画の撮影も可能であり、撮像部７で撮影された静止画データがＪＰＥＧ圧縮されたファイル形式で記憶部３に記録される。
【００１５】
ＲＡＭ４は、一時的な記憶領域を制御部１に提供するメモリである。
【００１６】
通信制御部５は、外部の電子機器、例えばパーソナルコンピュータなどと接続され動画データ、静止画データ等の送受信を制御するものである。なお、外部機器との接続は、ケーブルなどによる有線でなく、赤外線や無線などのワイヤレス接続で行っても良い。
【００１７】
無線送受信部２２は、動画データ、静止画データ、各種コマンド等を子機のデジタルカメラ９２，９３に対して無線で送受信するものである。
【００１８】
表示部６は、例えばカラー液晶表示装置などから構成され、撮影又は再生時の動画又は静止画や各種設定情報、各種動作のガイダンス情報などを表示するものである。
【００１９】
図３は、図２の撮像部７の詳細な構成を示したものである。撮影レンズ１１の光束の開口量が絞り機構１２によって調整され、被写体像が撮影レンズ１１によってＣＣＤ等の撮像素子１３上に結像される。合焦のために撮影レンズ１１が光学系駆動部１４によって光軸に沿って移動され、適切な露出となるように絞り機構１２の開口量が光学系駆動部１４によって制御される。測距センサや光量センサを含むセンサ部１５によって検出された検出値がバスライン２を介して制御部１に送られ、制御部１によって検出値に基づいて演算された移動量や開口量を示す信号が光学系駆動部１４に送られることによって、光学系駆動部１４が撮影レンズ１１の移動や絞り機構１２の開口量を調整する。
【００２０】
撮像素子１３に被写体像が結像されることにより撮像素子１３には入射光量に応じた電荷が蓄積され、蓄積された電荷は駆動回路１６から与えられる駆動パルス信号によって順次読み出されアナログ処理回路１７に送られる。アナログ処理回路１７では、色分離やゲイン調整、ホワイトバランスなどの各種処理が行われ、処理された信号はＡ／Ｄ変換回路１８を介してデジタルのフレームデータ（静止画データ）としてバッファレジスタ１９に記憶される。
【００２１】
バッファレジスタ１９に記憶されたフレームデータは、信号処理回路２０において輝度信号及び色差信号に変換されるとともに、圧縮伸長回路２１によってＭＰＥＧ規格に準じて圧縮されバスライン２を介して図２に示した記憶部３に順次記録される。記憶部３にフレームデータが順次記録されることによって、それらフレームデータからなる動画データが記憶部３に記録される。前述した如く動画データの記憶はモーションＪＰＥＧファイル形式又はＭＰＥＧファイル形式で記録され、また、このとき順次記録されているフレームが表示部６にも表示され、撮影した動画を確認できるようになっている。なお、静止画の撮影の場合には、バッファレジスタ１９に記憶されたフレームデータが圧縮伸長回路２１によってＪＰＥＧ形式に圧縮され、バスライン２を介して図２に示した記憶部３に静止画データとして記録される。
【００２２】
図２に示すように、入力部８は、動画記録を開始するための録画スタートキー８１と、動画記録を終了するための録画ストップキー８２と、動画ファイルを順次生成したり動画ファイルを選択したりするためのファイルキー８３と、編集を開始するための編集開始キー８４と、再生を開始するための再生キー８５と、動画ファイルを選択するための選択キー８６と、選択したファイルに決定するための決定キー８７と、編集処理を終了するための終了キー８８と、各種の選択を行うために上下左右にそれぞれスイッチ操作部が設けられた十字キー８９とを備えている。
【００２３】
記憶媒体駆動部１０に対して記憶媒体９が着脱可能となっている。記憶媒体駆動部１０は、記憶媒体９に対して情報を記録したり、既に記録されている情報を読み出して再生したりする為の駆動回路である。記憶部３に動画データや静止画データが記録されるのと同様に、記憶媒体９にも動画データや静止画データが記録される。記憶媒体９としては、読み書き可能なメモリであり、例えば半導体回路を用いたＩＣカード等が用いられる。なお、ＩＣカードではなく、磁気ディスク、光ディスク、光磁気ディスク等の各種ディスクを記憶媒体９として用いても良く、記憶媒体駆動部１０もこれら使用される記憶媒体９に応じた駆動回路となっていれば良い。
【００２４】
子機のデジタルカメラ９２，９３は親機のデジタルカメラ９１と同様に構成されている。そのため、デジタルカメラ９２，９３については、デジタルカメラ９１の各部と同じ構成要素に同一の符号を付してそれらの説明を省略する。
【００２５】
次に、親機であるデジタルカメラ９１の動作について図４のフローチャートを用いて説明する。
【００２６】
デジタルカメラ９１は、録画スタートキー８１が操作されたか否かを制御部１にて判定する（ステップＳＡ１）。このとき、ユーザがデジタルカメラ９１の録画スタートキー８１を操作すると（ステップＳＡ１：Ｙｅｓ）、デジタルカメラ９１が無線送受信部２２によってスタートコマンドを子機のデジタルカメラ９２，９３に送信する（ステップＳＡ３）。そして、デジタルカメラ９１が動画撮影及び動画ファイルの記録を開始する（ステップＳＡ５）。即ち、デジタルカメラ９１の動画記録時においては、撮像素子１３に写し込まれた被写体像のフレームデータが圧縮伸長回路２１によってＭＰＥＧ規格に準じて圧縮され、圧縮されたフレームデータを制御部１が読み込んで記憶部３又は記憶媒体９に記録する。このように、撮像素子１３によって順次得られたフレームデータが制御部１によって記憶部３又は記憶媒体９に順次記録されていくことによって、動画が記録される。
【００２７】
デジタルカメラ９１は、動画記録中にファイルキー８３、録画ストップキー８２が操作されたか否かを制御部１によって判定している（ステップＳＡ７、ステップＳＡ１３）。動画記録中において、ユーザがデジタルカメラ９１のファイルキー８３を操作すると（ステップＳＡ７：Ｙｅｓ）、デジタルカメラ９１はそれまで記憶部３又は記憶媒体９に順次記録してきたフレームデータをＭＰＥＧ形式の動画ファイルとしてファイル名を付して記憶部３又は記憶媒体９に記録し（ステップＳＡ９）、その動画ファイルの記録を終了する。そして、デジタルカメラ９１は、その動画ファイルの最後のＩフレーム（Intra frame）を同期信号としてデジタルカメラ９２，９３に無線送受信部２２によって送信する（ステップＳＡ１１）。この後、デジタルカメラ９１は新たな次の動画ファイルの記録を開始する。
【００２８】
動画記録中において、ユーザがデジタルカメラ９１の録画ストップキー８２を操作すると（ステップＳＡ１３：Ｙｅｓ）、デジタルカメラ９１は無線送受信部２２によってストップコマンドをデジタルカメラ９２，９３に送信する。そして、デジタルカメラ９１は、動画ファイルの記録を終了し（ステップＳＡ１９）、それまで記憶部３又は記憶媒体９に順次記録してきたフレームデータをＭＰＥＧ形式の最後の動画ファイルとしてファイル名を付して記憶部３又は記憶媒体９に記録する（ステップＳＡ２１）。
【００２９】
ファイルキー８３、録画ストップキー８２、録画スタートキー８１以外のキーが操作された場合には（ステップＳＡ１３：Ｎｏ）、デジタルカメラ９１はそのキーに応じて動作し、デジタルカメラ９１の制御部１の処理がステップＳＡ７に戻る。
【００３０】
以上のように、録画スタートキー８１が操作されることによってデジタルカメラ９１が最初の動画ファイルの記録を開始し、動画記録中においてファイルキー８３が操作されるたびにデジタルカメラ９１がその時点までの動画ファイル（前の動画ファイル）の記録を終了するとともに次の動画ファイルの記録を開始し、最後に録画ストップキー８２が操作されるとデジタルカメラ９１が最後の動画ファイルの記録を終了する。これにより、デジタルカメラ９１は、動画ファイルを順次記録する。
【００３１】
次に、子機であるデジタルカメラ９２，９３の動作について図５のフローチャートを用いて説明する。
【００３２】
デジタルカメラ９２，９３は、デジタルカメラ９１から無線送受信部２２を介してスタートコマンドを受信したか否かを制御部１にて判定する（ステップＳＢ１）。このとき、デジタルカメラ９１からスタートコマンドを受信すると（ステップＳＢ１：Ｙｅｓ）、デジタルカメラ９２，９３が動画撮影及び動画の記録を開始する（ステップＳＢ３）。デジタルカメラ９２，９３の動画記録時においては、撮像素子１３によって得られたフレームデータが圧縮伸長回路２１によってＭＰＥＧ規格に準じて圧縮され、圧縮されたフレームデータを制御部１が読み込んで記憶部３又は記憶媒体９に記録する。このように、撮像素子１３によって順次得られたフレームデータが制御部１によって順次記憶部３又は記憶媒体９に記録されていくことによって、動画が記録される。
【００３３】
デジタルカメラ９２，９３は、動画記録中にＩフレーム、ストップコマンドを受信したか否かを制御部１によって判定している（ステップＳＢ５、ステップＳＢ１１）。動画記録中において、デジタルカメラ９２，９３は、デジタルカメラ９１からＩフレームを受信すると、それまで記憶部３又は記憶媒体９に順次記録してきたフレームデータをＭＰＥＧ形式の動画ファイルとしてファイル名を付して記憶部３又は記憶媒体９に記録し（ステップＳＢ７）、その動画ファイルの記録を終了する。そして、デジタルカメラ９２，９３は、記録した動画ファイルの最後のフレームデータに受信Ｉフレームを挿入する（ステップＳＢ９）。この後、デジタルカメラ９２，９３は新たな次の動画ファイルの記録を開始する。
【００３４】
動画記録中において、デジタルカメラ９２，９３は、デジタルカメラ９１からストップコマンドを受信すると（ステップＳＢ１１：Ｙｅｓ）、動画記録を終了する（ステップＳＢ１５）。そして、デジタルカメラ９２，９３は、それまで記憶部３又は記憶媒体９に順次記録してきたフレームデータをＭＰＥＧ形式の最後の動画ファイルとしてファイル名を付して記憶部３又は記憶媒体９に記録する（ステップＳＡ１７）。
【００３５】
スタートコマンド、Ｉフレーム、ストップコマンド以外のコマンドを受信した場合には（ステップＳＢ１１：Ｎｏ）、デジタルカメラ９２，９３はそのコマンドに応じて動作し、デジタルカメラ９２，９３の制御部１の処理がステップＳＢ５に戻る。
【００３６】
以上のように、スタートコマンドの受信によってデジタルカメラ９２，９３が最初の動画ファイルの記録を開始し、動画記録中においてはＩフレームの受信の度にデジタルカメラ９２，９３が前の動画ファイルの記録を終了するとともに次の動画ファイルの記録を開始し、最後にストップコマンドの受信によってデジタルカメラ９２，９３が最後の動画ファイルの記録を終了する。
【００３７】
また、スタートコマンドがデジタルカメラ９１からデジタルカメラ９２，９３に送信されることによって、各デジタルカメラ９１，９２，９３が最初の動画ファイルの同期をとり、Ｉフレームがデジタルカメラ９２，９３に送信されることによって、各デジタルカメラ９１，９２，９３が途中の動画ファイルの同期をとり、ストップコマンドがデジタルカメラ９１からデジタルカメラ９２，９３に送信されることによって、各デジタルカメラ９１，９２，９３が最後の動画ファイルの同期をとる。
【００３８】
動画記録が終了したら、デジタルカメラ９２，９３は、記憶部３又は記憶媒体９に記録した動画ファイルを無線送受信部２２によってデジタルカメラ９１に送信し、デジタルカメラ９１は、デジタルカメラ９２，９３から送信された動画ファイルを受信して記憶部３又は記憶媒体９に格納する。また、デジタルカメラ９１は、動画ファイルを受信したら制御部１によって図６に示すような記憶領域をＲＡＭ４に生成する。
【００３９】
図６に示すように、制御部１によってＲＡＭ４に作成される記憶領域は、カメラ番号記憶領域４１と、ファイル番号記憶領域４２と、再生フラグ記憶領域４３と、ファイル名データテーブル４４とからなる。
【００４０】
カメラ番号記憶領域４１は、カメラ番号Ｃを記憶するための領域である。ここで、カメラ番号Ｃが１である場合には、デジタルカメラ９１で記録された動画ファイルを選択することを表し、カメラ番号Ｃが２である場合には、デジタルカメラ９２で記録された動画ファイルを選択することを表し、カメラ番号Ｃが３である場合には、デジタルカメラ９３で記録された動画ファイルを選択したことを表す。
【００４１】
ファイル番号記憶領域４２は、ファイル番号Ｄを記憶するための領域である。ここで、ファイル番号Ｄは、カメラ番号Ｃで選択された複数の動画ファイルのうち記録された順番を表す。例えば、ファイル番号Ｄが１である場合には、カメラ番号Ｃで選択された複数の動画ファイルのうち１番目に記録された動画ファイルを表す。
【００４２】
再生フラグ記憶領域４３は、再生フラグＰを記憶するための領域である。再生フラグＰがゼロである場合には、再生していないことを表し、再生フラグＰが１である場合には、再生していることを表す。
【００４３】
ファイル名データテーブル４４は図７のように構成されており、初期状態ではカメラが行によって特定され、記録された順番が列によって特定される。例えば、このデータテーブルにおいて、１行目１列目のセルには、デジタルカメラ９１で１番目に記録された動画ファイルのファイル名が格納され、１行目２列目のセルには、デジタルカメラ９１で２番目に記録された動画ファイルのファイル名が格納され、２行目１列目のセルには、デジタルカメラ９２で１番目に記録されたデータファイル名が格納されている。ファイル名データテーブル４４のうち同一の列には、デジタルカメラ９１，９２，９３の間で同期した動画ファイルの名前が配列されている。
【００４４】
動画ファイルを受信した後のデジタルカメラ９１の動作について図８のフローチャートを用いて説明する。
【００４５】
デジタルカメラ９１は、編集開始キー８４、再生キー８５、選択キー８６、ファイルキー８３、決定キー８７、終了キー８８の何れかが操作された否かを判定する（ステップＳＣ１、ステップＳＣ５、ステップＳＣ１３、ステップＳＣ１７、ステップＳＣ２１、ステップＳＣ２５）。
【００４６】
ユーザが編集開始キー８４を操作すると（ステップＳＣ１：Ｙｅｓ）、デジタルカメラ９１は、カメラ番号Ｃを１としてカメラ番号記憶領域４１に記憶し、ファイル番号Ｄを１としてファイル番号記憶領域４２に記憶し、再生フラグＰをゼロとして再生フラグ記憶領域４３に記憶する（ステップＳＣ３）。このとき、デジタルカメラ９１の表示部６には図９に示すような画面が表示される。画面の上の領域６１は、動画表示領域となっており、画面の下の領域６２は、テーブル表示領域となっている。テーブル表示領域６２に表示されたテーブルはファイル名データテーブル４４に対応しており、各動画ファイルのファイル名がマトリクス状に配列された状態で表示されている。テーブル表示領域６２においては、選択されたセルのファイル名は反転表示されている。
【００４７】
編集開始キー８４の操作後にユーザが選択キー８６を操作するごとに、制御部１はカメラ番号Ｃを１だけ増加させる（ステップＳＣ１：Ｎｏ、ステップＳＣ１３：Ｙｅｓ、ステップＳＣ１５）。但し、カメラ番号Ｃが３の場合には、制御部１はカメラ番号Ｃを１にする。
このとき、表示画面のテーブル表示領域６２においては、ユーザが選択キー８６を操作するごとに、制御部１は反転表示を同じ列であって１つ下の行のセルに移動させる（但し、一番下のセルが反転表示されている場合には、反転表示を同じ列であって一番上のセルに移動させる）。
【００４８】
編集開始キー８４の操作後にユーザがファイルキー８３を操作するごとに、制御部１はファイル番号Ｄを１だけ増加させる（ステップＳＣ１：Ｎｏ、ステップＳＣ１３：Ｎｏ、ステップＳＣ１７：Ｙｅｓ、ステップＳＣ１９）。但し、ファイル番号Ｄが最後に記録された動画の番号の場合には、制御部１はファイル番号Ｄを１にする。
このとき、表示画面のテーブル表示領域６２においては、ユーザがファイルキー８３を操作するごとに、制御部１は反転表示を同じ行であって１つ右の列のセルに移動させる（但し、一番右のセルが反転表示されている場合には、反転表示を同じ行であって一番左のセルに移動させる）。
【００４９】
以上のように、ユーザがファイルキー８３や選択キー８６を操作することによって、テーブル表示領域６２の複数のセルの中から１つのセルを反転表示で選択し、その選択されたセルに対応するファイル名データテーブル４４のセルを選択する。なお、デジタルカメラ９１の制御部１は、選択したセルのファイル名に対応した動画ファイルを再生し、領域６１に動画を表示させる。
【００５０】
ここで、ユーザが決定キー８７を操作したら（ステップＳＣ２１：Ｙｅｓ）、制御部１は、テーブル表示領域６２の選択されたセルのファイル名を、同じ列で最も上のセルのファイル名と入れ替えるよう表示部６に表示させる。テーブル表示領域６２の入れ替えと同様に、制御部１は、ファイル名データテーブル４４のファイル名を移動させる（ステップＳＣ２３）。即ち、制御部１は、ファイル名データテーブル４４について、カメラ番号Ｃ及びファイル番号Ｄで表されたセルのファイル名を、同じファイル番号Ｄであってカメラ番号Ｃが１となるセルのファイル名と入れ替える。
【００５１】
以上のように、ユーザがファイルキー８３や選択キー８６や決定キー８７を操作することによって、テーブル表示領域６２の一番上の行の各セルを同じ列のセルと入れ替え、更に、データテーブル４４の一行目の各セルを同じ列のセルと入れ替える。
【００５２】
ユーザが終了キー８８を操作すると（ステップＳＣ２５：Ｙｅｓ）、ファイル名データテーブル４４の一行目を記憶部３又は記憶媒体９に格納し（ステップＳＣ２７）、ファイル名データテーブル４４の一行目が再生する動画ファイルの順序リストとなる。例えば、ファイル名データテーブル４４の一行目は、ファイルキー８３や選択キー８６や決定キー８７の操作によって、図１０のように入れ替えられ、これが再生順序リストとなる。
【００５３】
ユーザが再生キー８５を操作すると（ステップＳＣ５：Ｙｅｓ）、デジタルカメラ９１の制御部１はフラグＰがゼロであるか否かを判定する（ステップＳＰ７）。フラグＰがゼロである場合には、動画が再生されていないので、制御部１はフラグＰを１に書き換え、動画ファイルを順次再生する（ステップＳＣ９）。ここで、制御部１は、ファイル名データテーブル４４の一行目を参照して再生する動画ファイルを決定するが、一行目の動画ファイルを順次再生する。そのため、ユーザがファイルキー８３や選択キー８６や決定キー８７を操作した後に動画を再生する場合には、ファイル名データテーブル４４の一行目が入れ替えられた状態であるから、デジタルカメラ９１で記録された動画だけなく、デジタルカメラ９２，９３で記録された動画も再生されることになる。例えば、図１０のように入れ替えられた場合には、デジタルカメラ９１で一番目に記録された動画ファイル（ファイル名：ファイルＡ−１）が再生され、次にデジタルカメラ９３で二番目に記録された動画ファイル（ファイル名：ファイルＢ−２）が再生され、次にデジタルカメラ９１で三番目に記録された動画ファイル（ファイル名：ファイルＡ−３）が再生され、次にデジタルカメラ９１で四番目に記録された動画ファイル（ファイル名：ファイルＡ−４）が再生され、次にデジタルカメラ９２で五番目に記録された動画ファイル（ファイル名：ファイルＢ−５）が再生され、デジタルカメラ９１で六番目に記録された動画ファイル（ファイル名：ファイルＡ−６）が再生される。
【００５４】
動画の再生中ではフラグＰが１であるので、このときにユーザが再生キー８５を操作すると（ステップＳＣ５：Ｙｅｓ）、デジタルカメラ９１の制御部１は再生を停止する（ステップＳＣ１１）。
【００５５】
なお、ユーザが編集開始キー８４、再生キー８５、選択キー８６、ファイルキー８３、決定キー８７、終了キー８８以外のキーを操作した場合には、デジタルカメラ９１はそのキーに応じた処理を行う（ステップＳＣ２９）。
【００５６】
以上のように、本実施形態によれば、デジタルカメラ９１，９２，９３による動画記録後、ユーザがデジタルカメラ９１を操作すれば、デジタルカメラ９１，９２，９３によって同期をとって記録された動画ファイルのうちユーザの要望に応じた任意の動画ファイルが順次再生される。ここで、デジタルカメラ９１，９２，９３によって同期をとって記録された動画ファイルの中から何れかの動画ファイルが選択され、選択された動画ファイルが順次再生されるから、その再生動画が時間順序に編集されたものとなる。そのような編集がデジタルカメラ９１の操作によって行えるので、編集のための専用の機器が必要なくなる。
【００５７】
また、動画記録時においてデジタルカメラ９１，９２，９３によって動画ファイルが同期をとって順次記録され、デジタルカメラ９２，９３からデジタルカメラ９１に動画ファイルが送信されるから、デジタルカメラ９１に対する簡単な操作によって編集を行うことができる。
【００５８】
〔変形例〕
なお、本発明は、上記実施の形態に限定されることなく、本発明の趣旨を逸脱しない範囲において、種々の改良並びに設計の変更を行うことが出来る。例えば、デジタルカメラ９１を親機として図４、図８のフローチャートを行わせ、デジタルカメラ９２，９３を子機として図５のフローチャートを行わせるようにしたが、いずれのカメラにも図４乃至図１０で説明した構成を持たせ、親機としても子機としても動作できるようにしてもよい。また、再生のために選択された動画ファイルを一つのファイルに編集し直してもよく、このようにすれば、例えば外部のパソコンなどにこの一つのファイルを転送して再生することが出来る。
【００５９】
また、上記実施形態では撮像素子１３をＣＣＤ型の固体撮像素子としたが、ＣＭＯＳ型の固体撮像素子としても良い。ＣＭＯＳ型の撮像素子を用いた場合、周辺回路（例えば、駆動回路１６やアナログ処理回路１７等）をＣＭＯＳ型固体撮像素子用に適宜変更する。
【００６０】
上記各実施形態では、動画ファイルが記録されるメモリが記憶部３と記憶媒体９の２つであったが、１つであっても良いし、３つ以上のメモリを用いても良い。
【００６１】
また、上記各実施形態では、デジタルカメラに固定的に配置されたメモリが記憶部３の１つであり、デジタルカメラに着脱可能なメモリが記憶媒体９の１つであったが、デジタルカメラに固定的なメモリの数も、デジタルカメラに着脱可能なメモリの数も特に限定されない。勿論、デジタルカメラに着脱可能なメモリの数だけバスライン２に記憶媒体駆動部を接続させ、デジタルカメラに固定的なメモリは何れもドライバ等を介してバスライン２に接続させる。
【００６２】
また、上記実施形態では、本発明に係る動画記録装置としてデジタルカメラ９１，９２，９３に適用したが、その他の電子機器、例えば、デジタルビデオカメラ、カメラ機能付の携帯電話機等、撮像機能付きの各種電子機器に適用しても良い。
【図面の簡単な説明】
【００６３】
【図１】本発明を適用した録画システムの構成図である。
【図２】デジタルカメラ９１のブロック図である。
【図３】撮像部７のブロック図である。
【図４】動画記録時のデジタルカメラ９１の動作の流れを示したフローチャートである。
【図５】動画記録時のデジタルカメラ９２，９３の動作の流れを示したフローチャートである。
【図６】デジタルカメラ９１のＲＡＭ４の記憶領域を表した概略図である。
【図７】ファイル名データテーブル４４のデータ構成を示した概略図である。
【図８】編集再生時のデジタルカメラ９１の動作の流れを示したフローチャートである。
【図９】デジタルカメラ９１の表示部６１に表示される画面を示した図面である。
【図１０】データ入れ替え後のファイル名データテーブル４４の一行目のデータ構成を示した概略図である。
【符号の説明】
【００６４】
１  制御部
７  撮像部
３  記憶部
９  記憶媒体
２２  無線送受信部
９１  デジタルカメラ（親の動画記録装置）
９２、９３  デジタルカメラ（子の動画記録装置）
【図１】
2006222550.tif 000003
【図２】
2006222550.tif 000004
【図３】
2006222550.tif 000005
【図４】
2006222550.tif 000006
【図５】
2006222550.tif 000007
【図６】
2006222550.tif 000008
【図７】
2006222550.tif 000009
【図８】
2006222550.tif 000010
【図９】
2006222550.tif 000011
【図１０】
2006222550.tif 000012